(57)【要約】【課題】ＡＦ補助光制御の際に、ＡＦ補助光による眩しさを軽減して不快感を抑制する。【解決手段】システム制御部５０は被写体を撮像する際に、フォーカスレンズを備える撮像光学系１０２を光軸に沿って駆動してフォーカス制御を行う。システム制御部はフォーカス制御を行う際に被写体に光を補助光として照射する場合、焦点検出可能な発光量を必要発光量として当該必要発光量および撮影シーンに基づいて発光時間および発光強度を求め、フォーカス制御において発光時間および発光強度に応じて補助光の発光処理を行う。【選択図】図３
2019211696.tif 000002
【特許請求の範囲】
【請求項１】
被写体を撮像する際に、フォーカスレンズを備える撮像光学系を光軸に沿って駆動してフォーカス制御を行う撮像装置であって、
前記フォーカス制御を行う際に前記被写体に光を補助光として照射する場合、焦点検出可能な発光量を必要発光量として当該必要発光量および撮影シーンに基づいて発光時間および発光強度を求める算出処理を行う算出手段と、
前記フォーカス制御において前記発光時間および前記発光強度に応じて前記補助光の発光処理を行う制御手段と、
を有することを特徴とする撮像装置。
【請求項２】
前記被写体の明るさが所定の明るさ以下である場合に、前記算出処理および前記発光処理が行われることを特徴とする請求項１に記載の撮像装置。
【請求項３】
前記撮影シーンにおいて前記被写体に顔領域が検出されると、前記制御手段は前記発光時間および前記発光強度に応じてフラット発光を行うことを特徴とする請求項１又は２に記載の撮像装置。
【請求項４】
前記撮影シーンおいて被写体に顔領域が検出されないと、前記制御手段は前記必要発光量に応じて閃光を発光することを特徴とする請求項１乃至３のいずれか１項に記載の撮像装置。
【請求項５】
前記制御手段は前記必要発光量とするために、前記発光時間を優先して変更することを特徴とする請求項１乃至４のいずれか１項に記載の撮像装置。
【請求項６】
被写体を撮像する際に、フォーカスレンズを備える撮像光学系を光軸に沿って駆動してフォーカス制御を行う撮像装置の制御方法であって、
前記フォーカス制御を行う際に前記被写体に光を補助光として照射する場合、焦点検出可能な発光量を必要発光量として当該必要発光量および撮影シーンに基づいて発光時間および発光強度を求める算出処理を行う算出ステップと、
前記フォーカス制御において前記発光時間および前記発光強度に応じて前記補助光の発光処理を行う制御ステップと、
を有することを特徴とする制御方法。
【請求項７】
被写体を撮像する際に、フォーカスレンズを備える撮像光学系を光軸に沿って駆動してフォーカス制御を行う撮像装置で用いられる制御プログラムであって、
前記撮像装置が備えるコンピュータに、
前記フォーカス制御を行う際に前記被写体に光を補助光として照射する場合、焦点検出可能な発光量を必要発光量として当該必要発光量および撮影シーンに基づいて発光時間および発光強度を求める算出処理を行う算出ステップと、
前記フォーカス制御において前記発光時間および前記発光強度に応じて前記補助光の発光処理を行う制御ステップと、
を実行させることを特徴とする制御プログラム。
【発明の詳細な説明】
【技術分野】
【０００１】
本発明は、撮像装置、その制御方法、および制御プログラムに関し、特に、ＡＦ補助光を用いてＡＦ制御を行う撮像装置に関する。
【背景技術】
【０００２】
一般に、補助光を投光する発光装置を備える撮像装置が知られている。当該撮像装置では、被写体が低輝度であるか又は周囲が暗く焦点検出不能であると判定すると、フォーカスレンズ駆動しつつ、間欠発光を所定の時間間隔で複数回行って焦点検出を行う（特許文献１および２）。このように焦点検出、つまり、ＡＦ制御の際に発光装置を発光させる制御をＡＦ補助光制御と呼ぶ。
【０００３】
なお、発光装置を発光させる際には、瞬間的に照明光（閃光）を発光する所謂閃光発光手法と、略一定の発光量で照明光を継続して発光するフラット発光手法がある。
【先行技術文献】
【特許文献】
【０００４】
【特許文献１】特開２０００−３３８３８６号公報
【特許文献２】特開２００９−２２２９８５号公報
【発明の概要】
【発明が解決しようとする課題】
【０００５】
ところで、上述のＡＦ補助光制御において、特に被写体が人物の場合に閃光発光手法を用いると、人物の瞳孔が開いた状態で瞬間的に発光が行われる。このため、非常に眩しく感じて不快感を与える可能性がある。一方、フラット発光手法を用いた際においても、単位時間当たりの発光量が大きいと閃光発光ほどではないものの、同様に眩しさによって不快感を与えてしまう。
【０００６】
従って、本発明の目的は、ＡＦ補助光制御の際に、ＡＦ補助光による眩しさを軽減して不快感を抑制することのできる撮像装置、その制御方法、および制御プログラムを提供することにある。
【課題を解決するための手段】
【０００７】
上記の目的を達成するため、本発明による撮像装置は、被写体を撮像する際に、フォーカスレンズを備える撮像光学系を光軸に沿って駆動してフォーカス制御を行う撮像装置であって、前記フォーカス制御を行う際に前記被写体に光を補助光として照射する場合、焦点検出可能な発光量を必要発光量として当該必要発光量および撮影シーンに基づいて発光時間および発光強度を求める算出処理を行う算出手段と、前記フォーカス制御において前記発光時間および前記発光強度に応じて前記補助光の発光処理を行う制御手段と、を有することを特徴とする。
【発明の効果】
【０００８】
本発明によれば、ＡＦ補助光制御の際に、ＡＦ補助光による眩しさを軽減して不快感を抑制することができる。
【図面の簡単な説明】
【０００９】
【図１】本発明の実施の形態による撮像装置の一例についてその構成を示すブロック図である。
【図２】図１に示すカメラにおける撮影動作を説明するためのフローチャートである。
【図３】図１に示すカメラで行われる露光処理とＡＦ補助光の発光タイミングとを説明するためのタイミング図である。
【図４】図２に示すＡＦ処理を説明するためのフローチャートである。
【図５】図１に示すカメラで用いられる発光手法の一例を示す図である。
【発明を実施するための形態】
【００１０】
以下に、本発明の実施の形態による撮像装置の一例について図面を参照して説明する。
【００１１】
図１は、本発明の実施の形態による撮像装置の一例についてその構成を示すブロック図である。
【００１２】
図示の撮像装置は、例えば、デジタルカメラ（以下単にカメラという）１００であり、撮影レンズ（撮像光学系）１０２を有している。そして、撮影レンズ１０２には、変倍レンズおよびフォーカスレンズが含まれている。なお、シャッター１０１には、絞りが備えられている。
【００１３】
撮像部２２には、撮影レンズ１０２を介して光学像（被写体像）が入射する。撮像部２２は、例えば、ＣＣＤセンサ又はＣＭＯＳセンサなどの撮像素子を有しており、光学像に応じたアナナログ電気信号を出力する。さらに、また、撮像部２２は、撮像素子の出力であるアナログ電気信号をデジタル信号（以下画像信号という）に変換するＡ／Ｄ変換部を有している。
【００１４】
フラッシュ発光部（以下単にフラッシュという）９０は、例えば、キセノン管を有している。撮像などの際にフラッシュ９０を発光することによって、低照度シーン又は逆光シーンなどにおいて被写体の輝度を補う。さらに、ＡＦ（オートフォーカス）制御において低照度の場合に被写体に関して焦点検出を行う場合に、フラッシュを発光させて焦点検出を行うＡＦ補助光制御が行われる。
【００１５】
画像処理部２４には、撮像部２２の出力である画像信号が入力される。また、画像処理部２４にはメモリ制御部１５から画像信号が送られることもある。画像処理部２４は、入力された画像信号に対して画素補間および縮小などのリサイズ処理を行うとともに色変換処理などの画像処理を行って画像データを生成する。さらに、画像処理部２４は、撮像によって得られた画像信号を用いて露光制御、ＡＦ制御、および顔検出制御のための演算処理を行って演算結果を得る。
【００１６】
システム制御部５０は、画像処理部２４によって求められた演算結果に基づいて、ＴＴＬ（スルー・ザ・レンズ）方式によるＡＥ（自動露出）制御、ＡＦ制御、およびＥＦ（補助光発光、自動調光発光）制御を行う。
【００１７】
撮像部２２の出力である画像信号は、画像処理部２４およびメモリ制御部１５を介して、又はメモリ制御部１５のみを介してメモリ３２に書き込まれる。メモリ３２には、撮像部２２の出力である画像信号が格納されるとともに、前述のようにして画像処理部２４で生成された画像データが格納される。なお、メモリ３２は、所定数の静止画像と所定時間の動画像および音声を格納するために十分な記憶容量を備えている。
【００１８】
メモリ３２は、画像表示用のメモリ（ビデオメモリ）を兼ねており、メモリ３２に書き込まれた画像データはＤ／Ａ変換器１３を介して画像として表示部２８に表示される。なお、表示部２８は、例えば、ＬＣＤなどの表示デバイスである。
【００１９】
撮像部２２の出力である画像信号を一旦メモリ３２に蓄積して、メモリ３２に蓄積された画像信号をＤ／Ａ変換器１３を介して画像として表示部２８に逐次表示すれば、所謂ライブビュー画像を表示する電子ビューファインダが構成される。
【００２０】
不揮発性メモリ５６は、電気的に消去・記録可能なメモリであって、フラッシュメモリなどが用いられる。不揮発性メモリ５６には、システム制御部５０の動作用の定数および制御プログラムなどが格納される。システム制御部５０は、カメラ１００を制御するマイクロコンピュータであり、不揮発性メモリ５６に記憶された制御プログラムを実行することによって後述する処理を行う。システム制御部５０は、メモリ３２、Ｄ／Ａ変換器１３、および表示部２８などを制御することによる表示制御を行う。
【００２１】
システムメモリ５２は、例えば、ＲＡＭであり、システムメモリ５２には、システム制御部５０の動作用の定数、変数、不揮発性メモリ５６から読み出した制御プログラムなどが展開される。システムタイマー５３は、各種制御に用いる時間、内蔵する時計による時間を計測する計時部である。
【００２２】
操作部７０は、ユーザーによって操作される操作部材を備えており、カメラ１００に備えられたボタン、スイッチ、ダイヤル、又は接続機器などを介してユーザーが行った操作を検知して、当該操作指示に応じた指示信号をシステム制御部５０に送る。
【００２３】
さらに、ユーザーがレリーズボタンを半押し操作すると、操作部７０は当該操作に応じた指示信号（以下ＳＷ１信号という）をシステム制御部５０に送る。さらに、ユーザーがレリーズボタンを深く押し込む全押し操作を行うと、操作部７０は当該操作に応じた指示信号（以下ＳＷ２信号という）をシステム制御部５０に送る。
【００２４】
ＳＷ１信号を受けると、つまり、ＳＷ１がＯＮであると、システム制御部５０は、前述のＡＦ制御（フォーカス制御）、ＡＥ制御、およびＥＦ制御などを含む撮像準備動作を開始する。ＳＷ２信号を受けると、つまり、ＳＷ２がＯＮであると、システム制御部５０は、撮像部２２から画像信号を読み出しする読み出し処理から記録媒体２００に画像データを書き込むまでの一連の撮像処理を開始する。
【００２５】
なお、操作部７０には、各種スイッチ、ダイヤル又は表示部２８に備えられたタッチパネル上のアイコンなどが含まれ、これらの操作に応じた入力および設定が行われる。記録媒体２００は、画像データを記録するためのメモリカードなどの媒体であり、半導体メモリ又は磁気ディスクなどを有している。
【００２６】
図２は、図１に示すカメラにおける撮影動作を説明するためのフローチャートである。なお、図示のフローチャートに係る処理は、システム制御部５０の制御下で行われる。
【００２７】
撮影動作が開始されると、システム制御部５０は、ＳＷ１がＯＮであるか否かを判定する（ステップＳ１０１）。ＳＷ１がＯＦＦの場合（ステップＳ１０１において、ＮＯ）、システム制御部５０は待機する。ＳＷ１がＯＮの場合（ステップＳ１０１において、ＹＥＳ）、システム制御部５０は、被写体輝度を求めるため撮像部２２を用いて露光処理（ＡＥ処理）を行う（ステップＳ１０２）。
【００２８】
図３は、図１に示すカメラで行われる露光処理とＡＦ補助光の発光タイミングとを説明するためのタイミング図である。
【００２９】
垂直同期信号は、撮像部２２に備えられた撮像素子を駆動（蓄積開始および読み出し開始）するためシステム制御部５０から周期的に出力される信号である。撮像素子は、２次元マトリックス状に配列された複数の画素を有するとともに、行走査回路（図示せず）を有している。行走査回路は撮像面において上部に位置する行（第１Ｌｉｎｅ）から下部に位置する行（第ｎ（ｎは２以上の整数）Ｌｉｎｅ）に向かって、順次リセット処理を行って、Ｌｉｎｅ毎に露光を開始する。図３においては、全Ｌｉｎｅの露光期間（露光時間）は時間Ｔで示される。
【００３０】
露光時間Ｔを経過すると、順次Ｌｉｎｅ毎に読み出された信号についてＡ／Ｄ変換が行われ、撮像部２２から１フレームの画像信号が出力される。システム制御部５０は、撮像部２２から出力された画像信号についてブロック積分の結果に基づいてブロック（領域）毎の輝度値（測光演算結果）を算出する（測光演算）。そして、システム制御部５０は、当該測光演算結果に基づいて露出値を決定する。なお、ここでは、露出値としてシャッター速度、絞り値、および感度が決定される。
【００３１】
再び図２を参照して、システム制御部５０は被写体の輝度値が所定値以下であるか否かを判定する（ステップＳ１０３）。輝度値が所定値以下であると（ステップＳ１０３において、ＹＥＳ）、システム制御部５０は、後述するＡＦ補助光を用いたＡＦ処理を行う（ステップＳ１０４）。一方、輝度値が所定値を超えていると（ステップＳ１０３において、ＮＯ）、システム制御部５０は、後述するＡＦ補助光を用いないＡＦ処理を行う（ステップＳ１０５）。
【００３２】
なお、ステップＳ１０４においては、システム制御部５０はフラッシュ９０を発光させてＡＦ処理を行う。また、ステップＳ１０５において、システム制御部５０はフラッシュ９０を発光させないでＡＦ処理を行う。そして、ＡＦ動作における露出値（シャッター速度、絞り値、および感度）はステップＳ１０２で得られた露出値が用いられる。
【００３３】
ステップＳ１０４又はＳ１０５の処理の後、システム制御部５０はＳＷ２がＯＮであるか否かを判定する（ステップＳ１０６）。ＳＷ２がＯＦＦの場合（ステップＳ１０６において、ＮＯ）、システム制御部５０はステップＳ１０１の処理に戻る。
【００３４】
ＳＷ２がＯＮの場合（ステップＳ１０６において、ＹＥＳ）、システム制御部５０は前述のようにして撮影を行う。そして、システム制御部５０はステップＳ１０１の処理に戻る。
【００３５】
図４は、図２に示すＡＦ処理を説明するためのフローチャートである。そして、図４（ａ）はＡＦ補助光を用いたＡＦ処理を示すフローチャートであり、図４（ｂ）はＡＦ補助光を用いないＡＦ処理を示すフローチャートである。
【００３６】
まず、図４（ａ）を参照して、システム制御部５０は、ＡＦ補助光発光処理を行う（ステップＳ２０１）。ここでは、システム制御部５０は、ＡＦ補助光を発光する際の発光手法、発光量（発光強度および発光時間）に応じてフラッシュ９０を、全Ｌｉｎｅ露光時間Ｔにおいて発光制御する。
【００３７】
図５は、図１に示すカメラで用いられる発光手法の一例を示す図である。そして、図５（ａ）は閃光発光を示す図であり、図５（ｂ）はフラット発光を示す図である。
【００３８】
発光手法には閃光発光およびフラット発光がある。図５（ａ）に示す閃光発光では、発光の開始後において、時間の経過につれて発光強度が増加する。そして、発光強度がピークに達すると、時間の経過につれて発光強度が減少する。
【００３９】
一方、図５（ｂ）に示すフラット発光では、発光の開始後、発光の停止を行うまでの間、略一定の発光強度において光が照射される。フラット発光を行う際には、発光回路（図示せず）に備えられたスイッチング素子を高速でオンオフ制御することによって、略一定の発光強度で発光を行うことができる。
【００４０】
なお、発光量は発光時間と発光強度との積で求めることができ、図５に示す閃光発光およびフラット発光の波形は異なるが、発光量は略同一となる。
【００４１】
ＡＦ補助光を発光する際に閃光発光を用いた場合に、特に暗いシーンで発光が行われると、人物には瞳孔が開いた状態で瞬間的に投光が行われるので、非常に眩しく感じて不快感を与える恐れがある。そこで、ここでは、被写体検出を行っていない状態では、被写体は人物であるとして発光強度が閃光発光より弱いフラット発光をデフォルト設定とする。
【００４２】
さらに、焦点検出を行う際の必要発光量を求めるため、発光量を変更して複数回の発光を行って、発光量の設定を行う。例えば、ＡＦ補助光の発光量を、１回目の発光では最小ＧＮｏ．（ガイドナンバー）を０．３とし、２回目の発光では最大ＧＮｏ．１．２として発光を行う。ＧＮｏ．１．２のＧＮｏ．０．３に対する発光量倍率は、２＾（２×Ｌｏｇ２（１．２／０．３））＝１６倍となる。
【００４３】
発光時間については、図３に示すように、全Ｌｉｎｅで均一に露光を行うためには、全Ｌｉｎｅの露光時間Ｔ以内に発光時間を設定する必要がある。図３に示す例では、露光時間Ｔ＝４とし、ＧＮｏ．０．３による発光時間をｔ１＝１として、その発光強度をＩ１＝１とする。ここで、ＧＮｏ．１．２による発光時間をｔ２とし、発光強度をＩ２とする。発光時間を優先とした場合、Ｉ２＝１６／ｔ２となり、ｔ２を露光時間Ｔとした場合には、ｔ２＝４、Ｉ２＝４となる。
【００４４】
上述のようにして得られた発光量をフラッシュ９０に設定する。さらに、発光時間をシステムタイマー５３に設定する。そして、システム制御部５０は全Ｌｉｎｅの露光時間Ｔの始点において発光トリガをＯＮとしてフラッシュ９０の発光を開始し、システムタイマー５３によるカウント終了でフラッシュ９０による発光を停止する。
【００４５】
再び図４（ａ）を参照して、システム制御部５０は、前述のステップ１０２と同様にしてＡＥ処理を行う（ステップＳ２０２）。この際、システム制御部５０は画像処理部２４によって撮像部２２の出力である画像信号に基づいて顔検出を行う。撮影シーンにおいて人物の顔領域が検出された場合には、システム制御部５０はＦａｃｅ  Ｄｅｔｃｔ  Ｆｌｇ＝１とする。つまり、人物の顔領域が存在する撮影シーンでは、システム制御部５０はＦａｃｅ  Ｄｅｔｃｔ  Ｆｌｇ＝１とする。
【００４６】
一方、顔領域が検出されない場合には、システム制御部５０はＦａｃｅ  Ｄｅｔｃｔ  Ｆｌｇ＝０とする。そして、システム制御部５０は当該Ｆａｃｅ  Ｄｅｔｃｔ  Ｆｌｇをシステムメモリ５２に記憶する。
【００４７】
続いて、システム制御部５０は、垂直同期信号に同期して焦点検出処理を行う（ステップＳ２０３）。焦点検出を行う際には、例えば、既知の位相差検出方式又はコントラスト検出方式が用いられる。ここでは、焦点検出を行う際、システム制御部５０は位相差検出方式を用いるものとする。
【００４８】
図１に示す撮像部２２に備えられた撮像素子においては各画素の受光面側には入射光を集光するためのマイクロレンズが配置されている。そして、画素の各々には一対の光電変換部が配置されている。位相差検出方式においては、位相差を検出するため画素（焦点検出画素）から１対の出力信号（Ａ像およびＢ像）を得て、これらＡ像およびＢ像の位相差（ずれ量）に応じてデフォーカス量（合焦位置からのずれ量）を求める焦点検出処理を行う。
【００４９】
次に、システム制御部５０は、ＡＦ補助光の発光回数が所定回数となったか否かを判定する（ステップＳ２０４）。ＡＦ補助光の発光回数が所定回数未満であると（ステップＳ２０４において、ＮＯ）、システム制御部５０はステップＳ２０１の処理に戻る。図示の例では、ＡＦ補助光を最小発光量と最大発光量で発光させるので、所定回数を２回とする。
【００５０】
一方、ＡＦ補助光の発光回数が所定回数となると（ステップＳ２０４において、ＹＥＳ）、システム制御部５０は、ステップＳ２０３の処理で得たＡ像およびＢ像から撮像素子の電荷蓄積中に最も大きい出力をピーク値として求める。そして、システム制御部５０は最小発光量および最大発光量におけるピーク値に基づいてレンズ駆動中におけるＡＦ補助光発光の発光量を算出する（ステップＳ２０５）。
【００５１】
ステップＳ２０５の処理では、例えば、ピーク値が４以上の場合に高精度に焦点検出可能であるとする。この場合に、最小発光量ＧＮｏ．０．３の時のピーク値が１、最大発光量ＧＮｏ．１．２の時のピーク値が１６であると、必要最低限のＡＦ補助光の発光量はＧＮｏ．０．６となる（以下当該発光量を必要発光量とする）。そして、システム制御部５０は発光量算出処理で得られた当該必要発光量を、システムメモリ５２に、ＯｖｅｒＬａｐ  Ａｕｘ  ＧＮｏ．として記憶する。
【００５２】
次に、システム制御部５０は、ステップＳ２０３の処理で得られたデフォーカス量に応じて撮影レンズ１０２（つまり、フォーカスレンズ）を光軸に沿って駆動する（ステップＳ２０６）。そして、システム制御部５０は顔検出結果に基づいてＡＦ補助光の発光手法を切り替えるＡＦ補助光発光処理を行う（ステップＳ２０７）。
【００５３】
ステップＳ２０７の処理では、顔領域が検出された場合（Ｆａｃｅ  Ｄｅｔｃｔ  Ｆｌｇ＝１）には、システム制御部５０は、ステップＳ２０５で求めた必要発光量ＯｖｅｒＬａｐ  Ａｕｘ  ＧＮｏ．＝ＧＮｏ．０．６で、次のようにして発光時間および発光強度を算出する。
【００５４】
ＧＮｏ．０．６のＧＮｏ．０．３に対する発光量倍率は、２＾（２×Ｌｏｇ２（０．６／０．３））＝４倍となる。ここでは、露光時間Ｔ＝４、ＧＮｏ．０．３における発光時間ｔ１＝１、そして、発光強度Ｉ１＝１としているので、発光時間を優先した場合のＧＮｏ．１．２における発光時間ｔ２および発光強度Ｉ２を求めると、Ｉ２＝４／ｔ２となる。発光時間ｔ２を露光時間Ｔとした場合、発光時間ｔ２＝４、発光強度Ｉ２＝１となる。
【００５５】
一方、顔領域が検出されない場合（Ｆａｃｅ  Ｄｅｔｃｔ  Ｆｌｇ＝０）には、被写体に対してＡＦ補助光の眩しさを軽減させる必要がないので、システム制御部５０は閃光発光によってＧＮｏ．０．６の発光量でＡＦ補助光発光を行う。
【００５６】
なお、閃光発光およびフラット発光のいずれにおいても。垂直同期信号に同期して全Ｌｉｎｅの露光時間Ｔの間で発光処理が行われる。
【００５７】
続いて、システム制御部５０は、前述のステップＳ１０２と同様してＡＥ処理を行う（ステップＳ２０８）。そして、システム制御部５０は、前述のステップＳ２０３と同様して焦点検出処理を行う（ステップＳ２０９）。
【００５８】
続いて、システム制御部５０は、ステップＳ２０９の処理で得られたデフォーカス量が所定値以上であるか否かを判定する（ステップＳ２１０）。デフォーカス量が所定値以上であると（ステップＳ２１０において、ＹＥＳ）、システム制御部５０はＡＦ処理（ＡＦ演算）が所定回数となったか否かを判定する（ステップＳ２１１）。
【００５９】
ＡＦ演算が所定回数未満であると（ステップＳ２１１において、ＮＯ）、システム制御部５０はステップＳ２０７の処理に戻る。一方、ＡＦ演算が所定回数に達すると（ステップＳ２１１において、ＹＥＳ）、システム制御部５０は撮影レンズ１０２の駆動を停止する（ステップＳ２１２）。そして、システム制御部５０は合焦判定を行う（ステップＳ２１３）。
【００６０】
ステップＳ２１３においては、システム制御部はステップＳ２０９の処理で得られたデフォーカス量が所定値未満の場合には、合焦を報知するため表示部２８に合焦マークを表示する。一方、デフォーカス量が所定値以上の場合には、システム制御部５０は非合焦を報知するため表示部２８に非合焦マークを表示する。そして、システム制御部５０は、図２に示すステップＳ１０６の処理に進む。
【００６１】
なお、デフォーカス量が所定値未満の場合には（ステップＳ２１０において、ＮＯ）、システム制御部５０はステップＳ２１２の処理に進む。
【００６２】
次に、図４（ｂ）を参照して、ＡＦ補助光を用いないＡＦ処理について説明する。なお、図４（ｂ）において、図４（ａ）に示すフローチャートのステップと同一のステップについては同一の参照符号を付して説明を省略する。
【００６３】
ＡＦ補助光を用いないＡＦ処理を開始すると、システム制御部５０は、まずステップＳ２０２の処理を行う。そして、ステップＳ２０３の処理の後、システム制御部５０はステップＳ２０６の処理を行い、続いてステップＳ２０８の処理を行う。以後、システム制御部５０はステップＳ２０９〜Ｓ２１３の処理を行って、図２に示すステップＳ１０６の処理に進む。
【００６４】
このように、本発明の実施の形態では、ＡＦ補助光を発光する際、人物の顔領域が検出されるとフラット発光を行う。そして、発光量を上げる場合には、発光時間を優先して単位時間当たりの発光強度を抑えることによって、ＡＦ補助光による眩しさを軽減することができる。
【００６５】
以上、本発明について実施の形態に基づいて説明したが、本発明は、これらの実施の形態に限定されるものではなく、この発明の要旨を逸脱しない範囲の様々な形態も本発明に含まれる。
【００６６】
例えば、上記の実施の形態の機能を制御方法として、この制御方法を照明装置に実行させるようにすればよい。また、上述の実施の形態の機能を有するプログラムを制御プログラムとして、当該制御プログラムを照明装置が備えるコンピュータに実行させるようにしてもよい。なお、制御プログラムは、例えば、コンピュータに読み取り可能な記録媒体に記録される。
【００６７】
［その他の実施形態］
本発明は、上述の実施形態の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【符号の説明】
【００６８】
１５  メモリ制御部
２２  撮像部
２４  画像処理部
２８  表示部
５０  システム制御部
５３  システムタイマー
７０  操作部
９０  フラッシュ発光部（フラッシュ）
１０１  シャッター
１０２  撮影レンズ
【図１】
2019211696.tif 000003
【図２】
2019211696.tif 000004
【図３】
2019211696.tif 000005
【図４】
2019211696.tif 000006
【図５】
2019211696.tif 000007